(57)【要約】  バーコード情報を用いた決済サーバへのアクセスによる決済を行う場合、他の決済手段との多重決済を防ぐことができる自動販売機、自動販売機システム、及び自動販売機システムの決済方法を提供することを目的とする。このため、販売制御部１０ｂは、商品選択ボタンによる商品の選択及び決済サーバ選択部によって決済サーバＡによる決済の選択が行われた場合、決済サーバＡから二次元バーコード情報を取得し、該二次元バーコード情報を表示部に表示し、決済サーバＡから、二次元バーコード情報を読み取った携帯端末３による商品の決済が行われた決済成功通知を受けた場合、商品の搬出処理を行うとともに、商品選択ボタンによる商品の選択及び決済サーバ選択部によって決済サーバＡによる決済の選択が行われた場合、他の決済処理受付部による決済処理の受付を決済サーバＡによる決済処理が終了するまで禁止させる。
2019117021.tif 000002
【特許請求の範囲】
【請求項１】
携帯端末によるバーコード情報の読取によって決済サーバを用いた商品の決済処理を行うことができる自動販売機であって、
販売する商品を選択する商品選択ボタンと、
前記商品選択ボタンによって選択した商品の決済に対して前記決済サーバを用いることの選択を受け付ける決済サーバ選択部と、
前記商品選択ボタンによって選択した商品の金額及び該商品の決済を行う決済サーバの所在情報を含む前記バーコード情報を表示する表示部と、
前記商品選択ボタンによる商品の選択及び前記決済サーバ選択部によって前記決済サーバによる決済の選択が行われた場合、前記決済サーバから前記バーコード情報を取得し、該バーコード情報を前記表示部に表示し、前記決済サーバから、前記バーコード情報を読み取った前記携帯端末による前記商品の決済が行われた決済済み情報を受けた場合、前記商品選択ボタンによって選択した商品の搬出処理を行う販売制御部と、
を備え、
前記販売制御部は、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする自動販売機。
【請求項２】
携帯端末が表示するバーコード情報の読取によって決済サーバを用いた商品の決済処理を行うことができる自動販売機であって、
販売する商品を選択する商品選択ボタンと、
前記商品選択ボタンによって選択した商品の決済に対して前記決済サーバを用いることの選択を受け付ける決済サーバ選択部と、
利用者識別情報を含む前記バーコード情報を前記携帯端末から読み取る読取部と、
前記商品選択ボタンによる商品の選択及び前記決済サーバ選択部によって前記決済サーバによる決済の選択が行われた場合、前記読取部が読み取ったバーコード情報をもとに、前記決済サーバとの間で前記商品の決済処理を行い、決済処理が完了した場合、前記商品選択ボタンによって選択した商品の搬出処理を行う販売制御部と、
を備え、
前記販売制御部は、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする自動販売機。
【請求項３】
前記販売制御部は、前記バーコード情報を前記表示部に表示した後、前記決済サーバに対し、前記携帯端末による前記商品の決済が行われたか否かを定期的に問い合わせて前記決済済み情報を取得することを特徴とする請求項１に記載の自動販売機。
【請求項４】
前記決済サーバ選択部は、前記商品選択ボタンあるいは前記商品選択ボタンに対応する前記携帯端末側の仮想商品選択ボタンによって選択した商品の決済を、前記決済サーバを用いることの選択を前記携帯端末側から受け付けることを特徴とする請求項１〜３のいずれか一つに記載の自動販売機。
【請求項５】
前記決済サーバ選択部は、複数の決済サーバの中から１つの決済サーバの選択を受け付けることを特徴とする請求項１〜４のいずれか一つに記載の自動販売機。
【請求項６】
携帯端末によるバーコード情報の読取によって商品の決済処理を行うことができる自動販売機と前記携帯端末と前記商品の決済処理を行う決済サーバとがネットワークに接続可能な自動販売機システムであって、
前記自動販売機は、
販売する商品を選択する商品選択ボタンと、
前記商品選択ボタンによって選択した商品の決済に対して前記決済サーバを用いることの選択を受け付ける決済サーバ選択部と、
前記商品選択ボタンによって選択した商品の金額及び該商品の決済を行う決済サーバの所在情報を含む前記バーコード情報を表示する表示部と、
前記商品選択ボタンによる商品の選択及び前記決済サーバ選択部によって前記決済サーバによる決済の選択が行われた場合、前記決済サーバから前記バーコード情報を取得し、該バーコード情報を前記表示部に表示し、前記決済サーバから、前記バーコード情報を読み取った前記携帯端末による前記商品の決済が行われた決済済み情報を受けた場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させる販売制御部と、
を備え、
前記携帯端末は、前記表示部に表示された前記バーコード情報を読み取り、前記バーコード情報が示す決済サーバにアクセスして前記商品の決済を行う
ことを特徴とする自動販売機システム。
【請求項７】
携帯端末が表示するバーコード情報の読取によって商品の決済処理を行うことができる自動販売機と前記携帯端末と前記商品の決済処理を行う決済サーバとがネットワークに接続可能な自動販売機システムであって、
前記自動販売機は、
販売する商品を選択する商品選択ボタンと、
前記商品選択ボタンによって選択した商品の決済に対して前記決済サーバを用いることの選択を受け付ける決済サーバ選択部と、
利用者識別情報を含む前記バーコード情報を前記携帯端末から読み取る読取部と、
前記商品選択ボタンによる商品の選択及び前記決済サーバ選択部によって前記決済サーバによる決済の選択が行われた場合、前記読取部が読み取ったバーコード情報をもとに、前記決済サーバとの間で前記商品の決済処理を行い、決済処理が完了した場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させる販売制御部と、
を備え、
前記携帯端末は、前記利用者識別情報を含む前記バーコード情報を表示する
ことを特徴とする自動販売機システム。
【請求項８】
携帯端末によるバーコード情報の読取によって商品の決済処理を行うことができる自動販売機と前記携帯端末と前記商品の決済処理を行う決済サーバとがネットワークに接続可能な自動販売機システムの決済方法であって、
前記自動販売機は、
販売する商品を選択する商品選択ボタンによる商品の選択及び前記商品選択ボタンによって選択した商品の決済に対して前記決済サーバを用いることの選択を受け付ける決済サーバ選択部によって前記決済サーバによる決済の選択が行われた場合、前記決済サーバから前記バーコード情報を取得し、該バーコード情報を表示部に表示し、前記決済サーバから、前記バーコード情報を読み取った前記携帯端末による前記商品の決済が行われた決済済み情報を受けた場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする自動販売機システムの決済方法。
【請求項９】
携帯端末が表示するバーコード情報の読取によって商品の決済処理を行うことができる自動販売機と前記携帯端末と前記商品の決済処理を行う決済サーバとがネットワークに接続可能な自動販売機システムの決済方法であって、
前記自動販売機は、
販売する商品を選択する商品選択ボタンによる商品の選択及び前記商品選択ボタンによって選択した商品の決済に対して前記決済サーバを用いることの選択を受け付ける決済サーバ選択部によって前記決済サーバによる決済の選択が行われた場合、利用者識別情報を含む前記バーコード情報を前記携帯端末から読み取り、読み取った前記バーコード情報をもとに、前記決済サーバとの間で前記商品の決済処理を行い、決済処理が完了した場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする自動販売機システムの決済方法。
【発明の詳細な説明】
【技術分野】
【０００１】
本発明は、バーコード情報を用いた決済サーバへのアクセスによる決済を行う場合、他の決済手段との多重決済を防ぐことができる自動販売機、自動販売機システム、及び自動販売機システムの決済方法に関する。
【背景技術】
【０００２】
近年の自動販売機は、現金だけでなく、電子マネーを用いて決済することが可能になっている。特に、ＲＦＩＤタグを備えたプリペイド型の電子マネーカードを自動販売機側のＲＦＩＤリーダライタにかざすことによって決済が完了できるようになっている（特許文献１参照）。
【先行技術文献】
【特許文献】
【０００３】
【特許文献１】特開２０１７−１５１６７４号公報
【発明の概要】
【発明が解決しようとする課題】
【０００４】
ところで、近年、スマートフォンなどの携帯端末が普及し、一般の商品購入時に二次元バーコード情報などのバーコード情報を用いて決済サーバにアクセスして決済を行うことができるようになっている。【０００５】
自動販売機に対する商品購入に対する決済がバーコード情報を用いて行うことができると、例えば、自動販売機側はバーコード情報を表示するのみでよいため、自動販売機側の構成が簡易なものとなる。【０００６】
しかし、自動販売機が現金や電子マネーカードを用いた他の決済手段を備えている場合、バーコード情報を介した決済サーバでの決済を行っている最中に、他の決済手段による決済も可能であるため、同一商品に対する多重決済が生じてしまう場合がある。【０００７】
本発明は、上記に鑑みてなされたものであって、バーコード情報を用いた決済サーバへのアクセスによる決済を行う場合、他の決済手段との多重決済を防ぐことができる自動販売機、自動販売機システム、及び自動販売機システムの決済方法を提供することを目的とする。
【課題を解決するための手段】
【０００８】
上述した課題を解決し、目的を達成するために、本発明にかかる自動販売機は、携帯端末によるバーコード情報の読取によって決済サーバを用いた商品の決済処理を行うことができる自動販売機であって、販売する商品を選択する商品選択ボタンと、前記商品選択ボタンによって選択した商品の決済に対して前記決済サーバを用いることの選択を受け付ける決済サーバ選択部と、前記商品選択ボタンによって選択した商品の金額及び該商品の決済を行う決済サーバの所在情報を含む前記バーコード情報を表示する表示部と、前記商品選択ボタンによる商品の選択及び前記決済サーバ選択部によって前記決済サーバによる決済の選択が行われた場合、前記決済サーバから前記バーコード情報を取得し、該バーコード情報を前記表示部に表示し、前記決済サーバから、前記バーコード情報を読み取った前記携帯端末による前記商品の決済が行われた決済済み情報を受けた場合、前記商品選択ボタンによって選択した商品の搬出処理を行う販売制御部と、を備え、前記販売制御部は、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする。【０００９】
また、本発明にかかる自動販売機は、携帯端末が表示するバーコード情報の読取によって決済サーバを用いた商品の決済処理を行うことができる自動販売機であって、販売する商品を選択する商品選択ボタンと、前記商品選択ボタンによって選択した商品の決済に対して前記決済サーバを用いることの選択を受け付ける決済サーバ選択部と、利用者識別情報を含む前記バーコード情報を前記携帯端末から読み取る読取部と、前記商品選択ボタンによる商品の選択及び前記決済サーバ選択部によって前記決済サーバによる決済の選択が行われた場合、前記読取部が読み取ったバーコード情報をもとに、前記決済サーバとの間で前記商品の決済処理を行い、決済処理が完了した場合、前記商品選択ボタンによって選択した商品の搬出処理を行う販売制御部と、を備え、前記販売制御部は、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする。【００１０】
また、本発明にかかる自動販売機は、上記の発明において、前記販売制御部は、前記バーコード情報を前記表示部に表示した後、前記決済サーバに対し、前記携帯端末による前記商品の決済が行われたか否かを定期的に問い合わせて前記決済済み情報を取得することを特徴とする。【００１１】
また、本発明にかかる自動販売機は、上記の発明において、前記決済サーバ選択部は、前記商品選択ボタンあるいは前記商品選択ボタンに対応する前記携帯端末側の仮想商品選択ボタンによって選択した商品の決済を、前記決済サーバを用いることの選択を前記携帯端末側から受け付けることを特徴とする。【００１２】
また、本発明にかかる自動販売機は、上記の発明において、前記決済サーバ選択部は、複数の決済サーバの中から１つの決済サーバの選択を受け付けることを特徴とする。【００１３】
また、本発明にかかる自動販売機システムは、携帯端末によるバーコード情報の読取によって商品の決済処理を行うことができる自動販売機と前記携帯端末と前記商品の決済処理を行う決済サーバとがネットワークに接続可能な自動販売機システムであって、前記自動販売機は、販売する商品を選択する商品選択ボタンと、前記商品選択ボタンによって選択した商品の決済に対して前記決済サーバを用いることの選択を受け付ける決済サーバ選択部と、前記商品選択ボタンによって選択した商品の金額及び該商品の決済を行う決済サーバの所在情報を含む前記バーコード情報を表示する表示部と、前記商品選択ボタンによる商品の選択及び前記決済サーバ選択部によって前記決済サーバによる決済の選択が行われた場合、前記決済サーバから前記バーコード情報を取得し、該バーコード情報を前記表示部に表示し、前記決済サーバから、前記バーコード情報を読み取った前記携帯端末による前記商品の決済が行われた決済済み情報を受けた場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させる販売制御部と、を備え、前記携帯端末は、前記表示部に表示された前記バーコード情報を読み取り、前記バーコード情報が示す決済サーバにアクセスして前記商品の決済を行うことを特徴とする。【００１４】
また、本発明にかかる自動販売機システムは、携帯端末が表示するバーコード情報の読取によって商品の決済処理を行うことができる自動販売機と前記携帯端末と前記商品の決済処理を行う決済サーバとがネットワークに接続可能な自動販売機システムであって、前記自動販売機は、販売する商品を選択する商品選択ボタンと、前記商品選択ボタンによって選択した商品の決済に対して前記決済サーバを用いることの選択を受け付ける決済サーバ選択部と、利用者識別情報を含む前記バーコード情報を前記携帯端末から読み取る読取部と、前記商品選択ボタンによる商品の選択及び前記決済サーバ選択部によって前記決済サーバによる決済の選択が行われた場合、前記読取部が読み取ったバーコード情報をもとに、前記決済サーバとの間で前記商品の決済処理を行い、決済処理が完了した場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させる販売制御部と、を備え、前記携帯端末は、前記利用者識別情報を含む前記バーコード情報を表示することを特徴とする。【００１５】
また、本発明にかかる自動販売機システムの決済方法は、携帯端末によるバーコード情報の読取によって商品の決済処理を行うことができる自動販売機と前記携帯端末と前記商品の決済処理を行う決済サーバとがネットワークに接続可能な自動販売機システムの決済方法であって、前記自動販売機は、販売する商品を選択する商品選択ボタンによる商品の選択及び前記商品選択ボタンによって選択した商品の決済に対して前記決済サーバを用いることの選択を受け付ける決済サーバ選択部によって前記決済サーバによる決済の選択が行われた場合、前記決済サーバから前記バーコード情報を取得し、該バーコード情報を表示部に表示し、前記決済サーバから、前記バーコード情報を読み取った前記携帯端末による前記商品の決済が行われた決済済み情報を受けた場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする。【００１６】
また、本発明にかかる自動販売機システムの決済方法は、携帯端末が表示するバーコード情報の読取によって商品の決済処理を行うことができる自動販売機と前記携帯端末と前記商品の決済処理を行う決済サーバとがネットワークに接続可能な自動販売機システムの決済方法であって、前記自動販売機は、販売する商品を選択する商品選択ボタンによる商品の選択及び前記商品選択ボタンによって選択した商品の決済に対して前記決済サーバを用いることの選択を受け付ける決済サーバ選択部によって前記決済サーバによる決済の選択が行われた場合、利用者識別情報を含む前記バーコード情報を前記携帯端末から読み取り、読み取った前記バーコード情報をもとに、前記決済サーバとの間で前記商品の決済処理を行い、決済処理が完了した場合、前記商品選択ボタンによって選択した商品の搬出処理を行うとともに、前記商品選択ボタンによる商品の選択及び前記決済サーバ選択部によって前記決済サーバによる決済の選択が行われた場合、他の決済処理受付部による決済処理の受付を前記決済サーバによる決済処理が終了するまで禁止させることを特徴とする。
【発明の効果】
【００１７】
本発明によれば、バーコード情報を用いた決済サーバへのアクセスによる決済を行う場合に、商品選択ボタンによる商品の選択及び決済サーバ選択部によって決済サーバによる決済の選択が行われた場合、他の決済処理受付部による決済処理の受付を前記決済サーバによる決済処理が終了するまで禁止させる処理を行うようにしているので、他の決済手段との多重決済を防ぐことができる。
【図面の簡単な説明】
【００１８】
【図１】図１は、本発明の実施の形態１である自動販売機システムの構成を示すブロック図である。
【図２】図２は、図１に示した自動販売機の構成を示すブロック図である。
【図３】図３は、図１に示した携帯端末の構成を示すブロック図である。
【図４】図４は、携帯端末による二次元バーコード情報の読取による販売制御処理手順を示すシーケンス図である。
【図５】図５は、決済サーバ選択部の表示例を示す図である。
【図６】図６は、携帯端末による二次元バーコード情報の読取による実施の形態２の販売制御処理手順を示すシーケンス図である。
【図７】図７は、実施の形態３である自動販売機の構成を示すブロック図である。
【図８】図８は、携帯端末による二次元バーコード情報の読取による実施の形態３の販売制御処理手順を示すシーケンス図である。
【図９】図９は、実施の形態４である自動販売機の構成を示すブロック図である。
【図１０】図１０は、自動販売機による携帯端末の二次元バーコード情報の読取による販売制御処理手順を示すシーケンス図である。
【発明を実施するための形態】
【００１９】
以下、添付図面を参照してこの発明を実施するための形態について説明する。
【００２０】
（実施の形態１）
［自動販売機システムの構成］
図１は、本発明の実施の形態１である自動販売機システム１の構成を示すブロック図である。また、図２は、図１に示した自動販売機２の構成を示すブロック図である。さらに図３は、図１に示した携帯端末３の構成を示すブロック図である。
【００２１】
図１に示すように、自動販売機システム１は、自動販売機２、携帯端末３、及び決済サーバＡ，Ｂ，ＣがネットワークＮに接続される。自動販売機２は、缶入り飲料、ビン入り飲料、ペットボトル入り飲料などの商品を販売する自動販売機であるが、これに限定されるものではなく、例えば、カップに飲料を注出するカップ式飲料自動販売機や物品を販売する自動販売機にも適用可能である。
【００２２】
決済サーバＡ，Ｂ，Ｃは、携帯端末３からの決済要求に応じて決済を行う。携帯端末３は、自動販売機２が表示した商品データ及び商品の決済を行う決済サーバの所在情報を含む二次元バーコード情報を読み込み、読み込んだ情報に利用者識別情報を付加した情報を決済サーバＡ，Ｂ，Ｃに送信する。なお、図１では、各決済サーバＡ，Ｂ，ＣがネットワークＮに直接接続されているが、これに限らず、ネットワークＮと各決済サーバＡ，Ｂ，Ｃとの間に中間サーバを設け、この中間サーバを介してネットワークＮと各決済サーバＡ，Ｂ，Ｃとを接続するようにしてもよい。この場合、自動販売機２や携帯端末３は、各決済サーバＡ，Ｂ，ＣのＵＲＬを知らなくても、１つの中間サーバのＵＲＬを知るのみで、中間サーバを介して各決済サーバＡ，Ｂ，Ｃにアクセスすることができる。特に、中間サーバを設けると、各決済サーバＡ，Ｂ，Ｃが相互に連携する場合に有用である。
【００２３】
なお、利用者識別情報とは、決済サーバＡ，Ｂ，Ｃを利用して商品を購入する際、予め決済サーバＡ，Ｂ，Ｃへの登録要求に対して通知された利用許可の番号などのＩＤ情報である。このＩＤ情報に加え、パスワードを含めてもよい。
【００２４】
［自動販売機の構成］
図２に示すように、自動販売機２は、メインコントローラ１０に本体制御部１１、商品選択ボタン群１４、表示操作部１５、表示部１６、外部通信処理部１７、非接触式カードリーダライタ２１、接触式カードリーダライタ２２、コインメカニズム２３、及びビルバリデータ２４が接続される。
【００２５】
本体制御部１１には、冷熱装置１２及び搬出装置１３が接続される。冷熱装置１２は、自動販売機２内の商品収納庫を設定された状態に管理するためのものである。冷熱装置１２は、本体制御部１１の制御のもとに、メインコントローラ１０によって冷却設定された商品収納庫の内部を冷却する一方、加温設定された商品収納庫の内部を加温する。
【００２６】
搬出装置１３は、ラックごとに設けられたベンドソレノイド、売切スイッチを管理するためのものである。本体制御部１１は、メインコントローラ１０から送信された搬出命令に従って搬出装置１３を制御してラックから商品を搬出する。なお、搬出装置１３は、ラックに収納された商品のすべてを搬出した場合に売切信号を本体制御部１１に出力する。
【００２７】
商品選択ボタン群１４は、商品を選択するための複数の商品選択ボタン１４ａを有する。商品選択ボタン１４ａは、例えば商品見本の近傍に配置される。各商品選択ボタン１４ａは、ＬＥＤ表示が可能であり、商品選択が行われた場合に点灯表示され、商品決済が終了すると消灯する。また、現金決済の場合には、投入金額で購入可能な商品に対応する商品選択ボタン１４ａが点灯される。
【００２８】
表示操作部１５は、例えばタッチパネルであり、表示と選択操作とが可能である。表示操作部１５には、選択操作が可能な決済サーバ選択部１５ａを表示することができる。決済サーバ選択部１５ａには、自動販売機２が接続できる決済サーバＡ，Ｂ，Ｃが表示され、いずれかの決済サーバＡ，Ｂ，Ｃを選択すると、選択した決済サーバＡ，Ｂ，Ｃに対して、二次元バーコード情報を用いた決済を行うことが選択される。なお、複数の決済サーバＡ，Ｂ，Ｃでなく、１つの決済サーバのみが選択可能な場合、決済サーバ選択部１５ａには、この１つの決済サーバのみが表示される。
【００２９】
表示部１６は、例えば液晶パネルであり、販売中、釣り切れ、準備中、通信中、お札中止のほか、投入金額、各種設定時の情報等の各種情報を表示するためのものである。表示部１６は、決済サーバＡ，Ｂ，Ｃに対して、二次元バーコード情報を用いて決済する場合、この二次元バーコード情報１６ａを表示する。この二次元バーコード情報１６ａには、商品金額を含む商品データ及び選択した決済サーバＡ，Ｂ，Ｃの所在情報（ＵＲＬ）が含まれる。携帯端末３は、この二次元バーコード情報１６ａを読み取り、利用者識別情報（ＵＲＬを含む）を付加して、選択した決済サーバＡ，Ｂ，Ｃにアクセスして商品の決済を行う。なお、決済サーバには、例えば、「ウィチャットペイ（WeChat Pay）」、「アリペイ（Alipay）」、「ラインペイ（LINE PAY）」、「楽天Ｐａｙ」などの決済システムにおける決済処理を行うものが含まれる。
【００３０】
なお、商品選択ボタン群１４、表示操作部１５、表示部１６、さらには、商品見本などの表示操作系のすべてを大画面タッチパネルなどの表示操作部に置き換えてもよい。
【００３１】
非接触式カードリーダライタ２１は、例えばＲＦＩＤカードリーダライタであり、プリペイドカードの情報が読み取られることによって決済が行われる。接触式カードリーダライタ２２は、例えば磁気式カードリーダライタであり、非接触式カードリーダライタ２１と同様に、プリペイドカードの情報が読み取られることによって決済が行われる。コインメカニズム２３は、硬貨処理装置であり、硬貨を識別して投入された金額を読み取り、釣銭を排出する。また、ビルバリデータ２４は、紙幣処理装置であり、紙幣を識別して投入された金額を読み取り、釣銭を排出する。コインメカニズム２３及びビルバリデータ２４は、現金決済のためのものである。これら非接触式カードリーダライタ２１、接触式カードリーダライタ２２、コインメカニズム２３、及びビルバリデータ２４は、二次元バーコード情報による決済サーバＡ，Ｂ，Ｃによる決済処理以外の他の決済処理受付部である。他の決済処理受付部は、自動販売機内で決済が行われる。
【００３２】
外部通信処理部１７は、ネットワークＮを介して決済サーバＡ，Ｂ，Ｃに通信接続する処理を行う。特に、外部通信処理部１７は、メインコントローラ１０の制御部のもとに、決済サーバＡ，Ｂ，Ｃにアクセスし、選択された商品の決済を行う決済サーバＡ，Ｂ，Ｃの所在情報を取得するとともに、この選択された商品の決済が成功しているか否かの確認を定期的に行うポーリングを行う。
【００３３】
メインコントローラ１０は、制御部１０ａ、販売制御部１０ｂ、表示制御部１０ｃを有する。制御部１０ａは、本体制御部１１、商品選択ボタン群１４、表示操作部１５、表示部１６、非接触式カードリーダライタ２１、接触式カードリーダライタ２２、コインメカニズム２３、ビルバリデータ２４、及び外部通信処理部１７等を集中管理するものである。制御部１０ａは、図示しない記憶部に記憶された各種設定データに基づいて制御する。
【００３４】
販売制御部１０ｂは、自動販売機２本体内の商品の販売に対する商品販売制御を行う。表示制御部１０ｃは、販売制御部１０ｂの指示のもとに、商品選択ボタン群１４、表示操作部１５、及び表示部１６に対する表示制御を行う。販売制御部１０ｂは、商品選択ボタン１４ａによる商品の選択及び決済サーバ選択部１５ａによって決済サーバＡ，Ｂ，Ｃによる決済の選択が行われた場合、決済サーバＡ，Ｂ，Ｃから決済サーバＡ，Ｂ，Ｃの所在情報を含む二次元バーコード情報を取得し、該二次元バーコード情報を表示部１６に表示し、決済サーバＡ，Ｂ，Ｃから、表示部１６に表示した二次元バーコード情報１６ａを読み取った携帯端末３による商品の決済が行われた決済済み情報を受けた場合、商品選択ボタン１４ａによって選択した商品の搬出処理を行う。また、販売制御部１０ｂは、決済サーバ選択部１５ａによって決済サーバＡ，Ｂ，Ｃによる決済の選択が行われた場合、他の決済処理受付部による決済処理の受付を決済サーバＡ，Ｂ，Ｃによる決済処理が終了するまで禁止させる。なお、販売制御部１０ｂは、他の決済処理受付部による商品販売制御も行う。
【００３５】
［携帯端末の構成］
図３に示すように、携帯端末３は、制御部３０に、表示操作部３２、撮像部３３、外部通信処理部３４、及び近距離無線通信処理部３５が接続される。表示操作部３２は、例えばタッチパネルであり、各種情報の表示及び操作が行われる。撮像部３３は、カメラであり、自動販売機２の表示部１６に表示された二次元バーコード情報１６ａを読み取ることができる。外部通信処理部３４は、ネットワークＮに接続可能であり、ネットワークＮを介して決済サーバＡ，Ｂ，Ｃに接続することができる。近距離無線通信処理部３５は、例えば、Ｗｉ−Ｆｉ（登録商標）などの近距離無線通信の処理を行う。
【００３６】
制御部３０は、表示操作部３２、撮像部３３、外部通信処理部３４、及び近距離無線通信処理部３５の各部を制御する。制御部３０は、決済制御部３１を有する。決済制御部３１は、読み込んだ二次元バーコード情報に利用者識別情報を付加して決済サーバＡ，Ｂ，Ｃに対して決済処理を行う制御を行うものであり、例えば、予め決済制御アプリケーションとして設定される。
【００３７】
［携帯端末による二次元バーコード情報の読取による販売制御処理］
図４は、携帯端末３による二次元バーコード情報の読取による販売制御処理手順を示すシーケンス図である。図４に示すように、まず、販売制御部１０ｂは、商品選択ボタン１４ａが選択される（ステップＳ１０１）と、この商品選択ボタン１４ａを点灯する（ステップＳ１０２）。その後、決済サーバ選択部１５ａで決済サーバＡ，Ｂ，Ｃの表示を行う（ステップＳ１０３）。この決済サーバ選択部１５ａは、図５に示すように、自動販売機２が接続可能な決済サーバＡ，Ｂ，Ｃをそれぞれ領域ＥＡ，ＥＢ，ＥＣに表示する。その後、決済サーバＡ，Ｂ，Ｃのうちの１つの決済サーバ、例えば決済サーバＡを選択する（ステップＳ１０４）と、販売制御部１０ｂは、選択した商品の商品データを外部通信処理部１７に送信する（ステップＳ１０５）。
【００３８】
さらに、外部通信処理部１７は、販売制御部１０ｂから商品データを受信すると、決済サーバモード要求を行い（ステップＳ１０６）、販売制御部１０ｂから決済サーバモード応答を受け付ける（ステップＳ１０７）。この決済サーバモードとは、携帯端末３による二次元バーコード情報の読取による販売制御を行うモードである。
【００３９】
販売制御部１０ｂは、決済サーバモード要求を受ける（ステップＳ１０６）と、すなわち、商品選択ボタン１４ａの選択と決済サーバ選択部１５ａでの決済サーバＡの選択とがあると、他の決済処理受付部による決済を禁止させる（ステップＳ１０８）。そして、販売制御部１０ｂは、表示部１６に「通信中」を表示する（ステップＳ１０９）。この「通信中」の表示は、他の決済処理受付部による決済を受け付けないことを意味する。
【００４０】
外部通信処理部１７は、販売制御部１０ｂから決済サーバモード応答を受け付ける（ステップＳ１０７）と、選択した決済サーバＡとの通信を開始する（ステップＳ１１０）。外部通信処理部１７は、受信した商品データを決済サーバＡに送信し（ステップＳ１１１）、決済サーバＡに対して商品の注文を行う。
【００４１】
決済サーバＡは、商品データを受信すると、二次元バーコード情報を外部通信処理部１７に送信する（ステップＳ１１２）。この二次元バーコード情報には、商品コードや金額などの商品データ以外に決済サーバＡの所在情報が含まれる。販売制御部１０ｂは、外部通信処理部１７が受信した二次元バーコード情報をもとに二次元バーコードを生成し、この生成した二次元バーコードを二次元バーコード情報１６ａとして表示部１６に表示する（ステップＳ１１３）。
【００４２】
携帯端末３は、表示部１６に二次元バーコード情報１６ａが表示されると、この二次元バーコード情報１６ａを撮像部３３によって撮像し、二次元バーコード情報１６ａを読み取る（ステップＳ１１４）。その後、携帯端末３の決済制御部３１は、読み取った二次元バーコード情報１６ａに利用者識別情報を付加し、二次元バーコード情報１６ａが示した決済サーバＡに対して決済要求を行う（ステップＳ１１５）。
【００４３】
決済サーバＡは、携帯端末３からの決済要求を受け付けると、決済要求内容と注文内容とを照らし合わせて決済処理を行い、決済が成功する（ステップＳ１１６）と、決済成功通知を携帯端末３に送信する（ステップＳ１１７）。
【００４４】
一方、外部通信処理部１７は、決済サーバＡから二次元バーコード情報を受信した後、決済サーバＡでの決済が成功しているか否かの決済確認を定期的に行うポーリングを行う（ステップＳ１１８）。外部通信処理部１７は、ポーリングによる決済確認があったか否かを判定する（ステップＳ１１９）。決済確認がない場合（ステップＳ１１９，Ｎｏ）には、さらに所定時間経過したか否かを判定する（ステップＳ１２０）。所定時間経過しない場合（ステップＳ１２０，Ｎｏ）には、ステップＳ１１８に戻って、決済確認のためのポーリングを続行する。ここで、所定時間経過した場合（ステップＳ１２０，Ｙｅｓ）には、通信切断を行う（ステップＳ１２２）。
【００４５】
一方、外部通信処理部１７は、決済確認があった場合（ステップＳ１１９，Ｙｅｓ）には、決済確認通知を販売制御部１０ｂに通知し（ステップＳ１２１）、通信切断を行う（ステップＳ１２２）。
【００４６】
販売制御部１０ｂは、外部通信処理部１７から決済確認通知を受ける（ステップＳ１２１）と、決済された商品の搬出を行わせ（ステップＳ１２３）、さらに商品選択ボタン１４ａを消灯させる（ステップＳ１２４）。そして、販売制御部１０ｂは、他の決済受付部による決済受付の禁止を解除する（ステップＳ１２５）。
【００４７】
なお、商品選択ボタン１４ａによる商品の選択と、決済サーバ選択部１５ａによって受け付けられる決済サーバＡによる決済の選択とはいずれが先に処理されてもよい。
【００４８】
本実施の形態１では、携帯端末３による二次元バーコード情報の読取による販売制御処理が行われている場合、非接触式カードリーダライタ２１、接触式カードリーダライタ２２、コインメカニズム２３、及びビルバリデータ２４による決済受付を禁止しているので、外部の決済サーバＡ，Ｂ，Ｃを用いた場合の多重決済を防止することができる。なお、非接触式カードリーダライタ２１または接触式カードリーダライタ２２による電子マネー決済と、コインメカニズム２３及びビルバリデータ２４による現金決済とは、同一自動販売機２内で共同して決済処理される場合がある。
【００４９】
また、本実施の形態１では、自動販売機２側は、携帯端末３による二次元バーコード情報の読取のための二次元バーコード情報を表示するのみで良いため、簡易な構成とすることができる。すなわち、携帯端末３による二次元バーコード情報の読取による販売制御処理の自動販売機２への増設を容易に行うことができる。
【００５０】
さらに、本実施の形態１では、携帯端末３による決済サーバＡへの決済結果をポーリングによって確認しているため、自動販売機２のそれぞれがＩＰアドレスを取得する必要がなく、この点からも簡易な構成とすることができる。
【００５１】
（実施の形態２）
上述した実施の形態１では、携帯端末３による決済サーバＡへの決済結果をポーリングによって確認していたが、実施の形態２では、ポーリングを行わず、決済サーバＡから決済結果を受信するようにしている。
【００５２】
図６は、携帯端末３による二次元バーコード情報の読取による実施の形態２の販売制御処理手順を示すシーケンス図である。上記のように、本実施の形態２では、実施の形態１による決済確認のポーリング（ステップＳ１１８）を行わず、携帯端末３と決済サーバＡとの決済が成功した場合（ステップＳ１１６）、決済成功通知を携帯端末３に送信するとともに、自動販売機２の外部通信処理部１７にも送信する（ステップＳ１１７）。本実施の形態２によるその他の処理手順は、実施の形態１と同じである。
【００５３】
本実施の形態２では、決済サーバＡが自動販売機２に決済成功通知を送信するために、自動販売機２がＩＰアドレスを取得する必要があるが、実施の形態１と同様に、多重決済を防止することができるとともに、携帯端末３による二次元バーコード情報の読取による販売制御処理の自動販売機２への増設を容易に行うことができる。
【００５４】
（実施の形態３）
図７は、実施の形態３である自動販売機２の構成を示すブロック図である。図７に示すように、本実施の形態３では、実施の形態１の自動販売機２に近距離無線通信処理部１８を増設している。近距離無線通信処理部１８は、携帯端末３の近距離無線通信処理部３５と同様に、例えば、Ｗｉ−Ｆｉ（登録商標）などの近距離無線通信の処理を行う。その他の構成は、実施の形態１と同じである。
【００５５】
図８は、携帯端末３による二次元バーコード情報の読取による実施の形態３の販売制御処理手順を示すシーケンス図である。本実施の形態３では、近距離無線通信処理部３５と近距離無線通信処理部１８とが通信接続されることにより、販売制御部１０ｂが自動販売機２の商品選択ボタン群１４や表示操作部１５の内容を携帯端末３側に送信する。これにより、携帯端末３側に商品選択ボタン群１４や表示操作部１５の内容に対応するものが仮想表示される。この状態で、ステップＳ１０１に対応する、携帯端末３側で仮想の商品選択ボタン１４ａの選択（ステップＳ２０１）及びステップＳ１０４に対応する仮想の決済サーバの選択（ステップＳ２０２）が行われる。その他の処理手順は、実施の形態１と同じである。
【００５６】
本実施の形態３で示すように、携帯端末３側で商品選択ボタン１４ａの選択や決済サーバの選択を行う応用例であっても、実施の形態１と同様に、多重決済を防止することができるとともに、携帯端末３による二次元バーコード情報の読取による販売制御処理の自動販売機２への増設を容易に行うことができる。
【００５７】
すなわち、実施の形態３に示した応用例の自動販売機２であっても、実施の形態１，２と同様な決済処理手順を行うので、自動販売機２の変更箇所が少なくて済む。なお、実施の形態１と実施の形態３との併用は可能である。
【００５８】
（実施の形態４）
図９は、実施の形態４である自動販売機２の構成を示すブロック図である。図９に示すように、本実施の形態４では、表示部１６に二次元バーコード情報１６ａを表示して携帯端末３に読み取ってもらうのではなく、自動販売機２に二次元バーコード読取部１９を新たに設け、二次元バーコード読取部１９が、携帯端末３に表示した二次元バーコード情報を読み取るようにしている。二次元バーコード読取部１９は、例えばカメラなどの撮像部である。その他の構成は、実施の形態１と同じである。
【００５９】
図１０は、自動販売機２による携帯端末３の二次元バーコード情報の読取による販売制御処理手順を示すシーケンス図である。図１０において、ステップＳ３０１〜Ｓ３１１は、実施の形態１のステップＳ１０１〜Ｓ１１１と同じである。その後、「通信中」の表示がされている（ステップＳ３０９）状態で、携帯端末３は、利用者識別情報を含む二次元バーコード情報を表示操作部３２に表示させ（ステップＳ３１２）、表示された二次元バーコード情報を二次元バーコード読取部１９にかざすと、販売制御部１０ｂは二次元バーコード読取部１９に対して二次元バーコード情報の読取を行わせる（ステップＳ３１３）。その後、販売制御部１０ｂは、読み取った二次元バーコード情報を外部通信処理部１７に送信する。外部通信処理部１７は、受信した二次元バーコード情報を決済サーバＡに送信し（ステップＳ３１４）、決済サーバＡに対して決済要求を行う。
【００６０】
その後、決済サーバＡは、決済要求内容と注文内容とを照らし合わせて決済処理を行い、決済が成功する（ステップＳ３１６）と、決済成功通知を外部通信処理部１７に送信する（ステップＳ３１７）。その後の処理（ステップＳ３１９〜Ｓ３２５）は、実施の形態１，２のステップＳ１１９〜Ｓ１２５と同じ処理を行う。
【００６１】
なお、実施の形態２のように、自動販売機２側にＩＰアドレスを設定し、決済サーバＡから、このＩＰアドレスに決済成功通知を送ってもらってもよいし、実施の形態１のように、自動販売機２側から決済確認のポーリングを行ってもよい。
【００６２】
本実施の形態４では、自動販売機２が携帯端末３の二次元バーコード情報を読み取る販売制御処理が行われている場合、非接触式カードリーダライタ２１、接触式カードリーダライタ２２、コインメカニズム２３、及びビルバリデータ２４による決済受付を禁止しているので、外部の決済サーバＡ，Ｂ，Ｃを用いた場合の多重決済を防止することができる。
【００６３】
また、本実施の形態４では、自動販売機２側は、自動販売機２が携帯端末３の二次元バーコード情報を読み取るための二次元バーコード読取部１９を設けるのみで良いため、簡易な構成とすることができる。
【００６４】
なお、上述した実施の形態１〜４では、バーコード情報の一例として、ＱＲコード（登録商標）などの二次元バーコード情報を用いて説明したが、これに限らず、表示及び読取ができれば、例えば、一次元バーコード情報であってもよいし、他のコード情報であってもよい。
【００６５】
また、上述した実施の形態１〜４では、缶入り飲料、ビン入り飲料、ペットボトル入り飲料などの商品を販売する自動販売機を自動販売機の一例として説明したが、自動販売機は、これに限らず、少なくとも、携帯端末３によるバーコード情報の読取あるいは携帯端末３が表示するバーコード情報の読取によって決済サーバＡ，Ｂ，Ｃを用いた商品の決済処理を行う決済処理手段と、非接触式カードリーダライタ２１、接触式カードリーダライタ２２、コインメカニズム２３、及びビルバリデータ２４、クレジットカードリーダライタなどの他の１以上の決済処理受付部とを備えていれば、例えば、商品を乗車券などの有価証券とする券売機などの自動機も含まれる。
【００６６】
なお、上記の各実施の形態で図示した各構成は機能概略的なものであり、必ずしも物理的に図示の構成とされていることを要しない。すなわち、各装置及び構成要素の分散・統合の形態は図示のものに限られず、その全部又は一部を各種の使用状況などに応じて、任意の単位で機能的又は物理的に分散・統合して構成することができる。
【符号の説明】
【００６７】
１  自動販売機システム
２  自動販売機
３  携帯端末
１０  メインコントローラ
１０ａ，３０  制御部
１０ｂ  販売制御部
１０ｃ  表示制御部
１１  本体制御部
１２  冷熱装置
１３  搬出装置
１４  商品選択ボタン群
１４ａ  商品選択ボタン
１５，３２  表示操作部
１５ａ  決済サーバ選択部
１６  表示部
１６ａ  二次元バーコード情報
１７，３４  外部通信処理部
１８，３５  近距離無線通信処理部
１９  二次元バーコード読取部
２１  非接触式カードリーダライタ
２２  接触式カードリーダライタ
２３  コインメカニズム
２４  ビルバリデータ
３１  決済制御部
３３  撮像部
Ａ，Ｂ，Ｃ  決済サーバ
ＥＡ，ＥＢ，ＥＣ  領域
Ｎ  ネットワーク
【図１】
2019117021.tif 000003
【図２】
2019117021.tif 000004
【図３】
2019117021.tif 000005
【図４】
2019117021.tif 000006
【図５】
2019117021.tif 000007
【図６】
2019117021.tif 000008
【図７】
2019117021.tif 000009
【図８】
2019117021.tif 000010
【図９】
2019117021.tif 000011
【図１０】
2019117021.tif 000012
【国際調査報告】
2019117021.tif 000013
2019117021.tif 000014
2019117021.tif 000015